(57)【要約】【課題】乾電池式のガスコンロにおいて誤点火を抑制する技術を提供する。【解決手段】ガスコンロシステムＹは、乾電池Ｅと、ガス燃焼装置Ａと、個人認証装置Ｂと、通電切換装置Ｕとを有して構成される。通電切換装置Ｕは、個人認証装置Ｂでの認証結果に基づき、乾電池Ｅからガス燃焼装置Ａへの電力の供給について、乾電池Ｅからガス燃焼装置Ａへ電力を供給する供給状態と、乾電池Ｅからガス燃焼装置Ａへ電力を供給しない非供給状態との間で切り換わる。【選択図】図２
2019035547.tif 000002
【特許請求の範囲】
【請求項１】
乾電池と、ガス燃焼装置と、個人認証装置と、通電切換装置とを有するガスコンロシステムであって、
前記ガス燃焼装置は、前記乾電池から電力の供給を受けてガスを燃焼させる装置であって、
前記乾電池から電力が供給される状態では、ガスの点火および燃焼を許容する状態となり、
前記乾電池から電力が供給されない状態では、ガスの点火および燃焼を禁止する状態となり、
前記個人認証装置は、前記ガスコンロシステムを操作する操作者が、予め登録された操作許可者であるか否かを認証し、
前記通電切換装置は、前記個人認証装置での認証結果に基づき、前記乾電池から前記ガス燃焼装置への電力の供給について、前記乾電池から前記ガス燃焼装置へ電力を供給する供給状態と、前記乾電池から前記ガス燃焼装置へ電力を供給しない非供給状態との間で切り換わる装置であって、
前記個人認証装置が前記操作者を操作許可者であると認証した際に、前記非供給状態から前記供給状態へ切り換わる、ガスコンロシステム。
【請求項２】
前記通電切換装置は、所定時間の間、前記個人認証装置が前記操作者を操作許可者として認証しない状態が継続した際に、前記供給状態から前記非供給状態へ切り換わる請求項１に記載のガスコンロシステム。
【請求項３】
前記個人認証装置は、所定時間の間、前記操作者を操作許可者として認証しない状態が継続した際に、前記操作者に対して操作許可者の認証を要求する認証要求を発する請求項１または２に記載のガスコンロシステム。
【請求項４】
前記個人認証装置は、前記ガスコンロシステムを操作する操作者を撮影して、顔認証により、予め登録された操作許可者であるか否かを認証する請求項１から３のいずれか１項に記載のガスコンロシステム。
【請求項５】
前記個人認証装置は、前記ガスコンロシステムを操作する操作者からの指紋の入力を受け付けて、指紋認証により、予め登録された操作許可者であるか否かを認証する請求項１から３のいずれか１項に記載のガスコンロシステム。
【請求項６】
前記個人認証装置は、無線認証部と無線キーとを有し、前記無線キーと前記無線認証部とが通信可能な認証領域に位置する場合に、前記ガスコンロシステムを操作する操作者が予め登録された操作許可者であると認証する請求項１から３のいずれか１項に記載のガスコンロシステム。
【請求項７】
前記個人認証装置は、無線認証部と携帯情報端末とを有し、前記無線認証部が前記携帯情報端末と通信して前記携帯情報端末が予め登録された端末であると確認された場合に、前記ガスコンロシステムを操作する操作者が予め登録された操作許可者であると認証する請求項１から３のいずれか１項に記載のガスコンロシステム。
【請求項８】
前記通電切換装置は、前記乾電池を収納する電池収納部に設けられる請求項１から７のいずれか１項に記載のガスコンロシステム。
【請求項９】
個人認証装置と通電切換装置とを有しガスコンロに適用されるセキュリティユニットであって、
前記ガスコンロは、乾電池からガス燃焼装置へ電力が供給される状態では、ガスの点火および燃焼を許容する状態となり、
前記乾電池から前記ガス燃焼装置へ電力が供給されない状態では、ガスの点火および燃焼を禁止する状態となり、
前記個人認証装置は、前記ガスコンロを操作する操作者が、予め登録された操作許可者であるか否かを認証し、
前記通電切換装置は、前記個人認証装置での認証結果に基づき、前記乾電池から前記ガス燃焼装置への電力の供給について、前記乾電池から前記ガス燃焼装置へ電力を供給する供給状態と、前記乾電池から前記ガス燃焼装置へ電力を供給しない非供給状態との間で切り換わる装置であって、
前記個人認証装置が前記操作者を操作許可者であると認証した際に、前記非供給状態から前記供給状態へ切り換わる、セキュリティユニット。
【発明の詳細な説明】
【技術分野】
【０００１】
本発明は、ガスコンロシステム、及びガスコンロに適用されるセキュリティユニットに関する。
【背景技術】
【０００２】
ガスコンロでは、使用者が操作しやすい場所に点火ボタンが設けられる。そうすると、例えば大人が外出したり、あるいは台所にいない時に、子供が勝手に点火ボタンを押してガスコンロに点火する可能性がある。あるいは、ペットが点火ボタンを押して（あるいは踏んで）ガスコンロに点火する可能性がある。このような事態を防止するため、誤点火を防止する機構を備えたガスコンロが提案されている。
【先行技術文献】
【特許文献】
【０００３】
【特許文献１】特開２００３−３２２３４０号公報
【発明の概要】
【発明が解決しようとする課題】
【０００４】
特許文献１のガスコンロでは、特定者の身体的特徴である指紋を検出する指紋センサが設けられ、特定者が解除しなければ点消火ボタンを押してもガスバーナに点火されないようにされている。具体的には、制御装置が指紋センサからの検出データと予め登録されている指紋データとを比較し、両データが一致すると、流量制御弁および安全弁の開弁を許可する。特許文献１の技術は、乾電池式のガスコンロに適用可能か否か不明である。
【０００５】
本発明は、乾電池式のガスコンロにおいて誤点火を抑制する技術を提供することを目的とする。
【０００６】
上記目的を達成するためのガスコンロシステムの特徴構成は、
乾電池と、ガス燃焼装置と、個人認証装置と、通電切換装置とを有するガスコンロシステムであって、
前記ガス燃焼装置は、前記乾電池から電力の供給を受けてガスを燃焼させる装置であって、
前記乾電池から電力が供給される状態では、ガスの点火および燃焼を許容する状態となり、
前記乾電池から電力が供給されない状態では、ガスの点火および燃焼を禁止する状態となり、
前記個人認証装置は、前記ガスコンロシステムを操作する操作者が、予め登録された操作許可者であるか否かを認証し、
前記通電切換装置は、前記個人認証装置での認証結果に基づき、前記乾電池から前記ガス燃焼装置への電力の供給について、前記乾電池から前記ガス燃焼装置へ電力を供給する供給状態と、前記乾電池から前記ガス燃焼装置へ電力を供給しない非供給状態との間で切り換わる装置であって、
前記個人認証装置が前記操作者を操作許可者であると認証した際に、前記非供給状態から前記供給状態へ切り換わる、点にある。
【０００７】
上記の特徴構成によれば、通電切換装置が、個人認証装置での認証結果に基づき乾電池からガス燃焼装置への電力供給の状態を切り替えるから、乾電池式のガスコンロにおいて予め登録された操作許可者以外による誤点火を防止することができる。また上記の特徴構成によれば、乾電池式のガスコンロに対して個人認証装置および通電切換装置を後付けして、ガスコンロシステムを実現することが可能である。
【０００８】
本発明に係るガスコンロシステムの別の特徴構成は、
前記通電切換装置は、所定時間の間、前記個人認証装置が前記操作者を操作許可者として認証しない状態が継続した際に、前記供給状態から前記非供給状態へ切り換わる点にある。
【０００９】
上記の特徴構成によれば、個人認証装置が操作者を操作許可者として認証しない状態が所定時間の間継続した際に、通電切換装置が非供給状態となるから、ガス燃焼装置がガスの点火および燃焼を禁止する状態となり、誤点火が適切に防止される。
【００１０】
本発明に係るガスコンロシステムの別の特徴構成は、
前記個人認証装置は、所定時間の間、前記操作者を操作許可者として認証しない状態が継続した際に、前記操作者に対して操作許可者の認証を要求する認証要求を発する点にある。
【００１１】
上記の特徴構成によれば、個人認証装置が操作者を操作許可者として認証しない状態が所定時間の間継続した際に、認証要求を発するから、操作者は再び認証を受けることでガスコンロの利用を継続することができる。すなわち、ガスコンロシステムの利便性を向上させることができる。
【００１２】
本発明に係るガスコンロシステムの別の特徴構成は、
前記個人認証装置は、前記ガスコンロシステムを操作する操作者を撮影して、顔認証により、予め登録された操作許可者であるか否かを認証する点にある。
【００１３】
上記の特徴構成によれば、顔認証により操作者を認証するから、操作者による特段の操作を要さずに認証が可能であり、ガスコンロシステムの利便性を向上させることができる。
【００１４】
本発明に係るガスコンロシステムの別の特徴構成は、
前記個人認証装置は、前記ガスコンロシステムを操作する操作者からの指紋の入力を受け付けて、指紋認証により、予め登録された操作許可者であるか否かを認証する点にある。
【００１５】
上記の特徴構成によれば、指紋認証により操作者を認証するから、認証の確実性を向上させることができる。
【００１６】
本発明に係るガスコンロシステムの別の特徴構成は、
前記個人認証装置は、無線認証部と無線キーとを有し、前記無線キーと前記無線認証部とが通信可能な認証領域に位置する場合に、前記ガスコンロシステムを操作する操作者が予め登録された操作許可者であると認証する点にある。
【００１７】
上記の特徴構成によれば、操作者が無線キーを所持してガスコンロに近づくことで認証が行われるから、ガスコンロシステムの利便性を向上させることができる。
【００１８】
本発明に係るガスコンロシステムの別の特徴構成は、
前記個人認証装置は、無線認証部と携帯情報端末とを有し、前記無線認証部が前記携帯情報端末と通信して前記携帯情報端末が予め登録された端末であると確認された場合に、前記ガスコンロシステムを操作する操作者が予め登録された操作許可者であると認証する点にある。
【００１９】
上記の特徴構成によれば、操作者が登録された携帯情報端末を所持してガスコンロに近づくことで認証が行われるから、ガスコンロシステムの利便性を向上させることができる。
【００２０】
前記通電切換装置は、前記乾電池を収納する電池収納部に設けられると、スペース効率の点で有利な上、ガスコンロへの後付けも容易となる利点がある。
【００２１】
上記目的を達成するためのセキュリティユニットの特徴構成は、
個人認証装置と通電切換装置とを有しガスコンロに適用されるセキュリティユニットであって、
前記ガスコンロは、乾電池からガス燃焼装置へ電力が供給される状態では、ガスの点火および燃焼を許容する状態となり、
前記乾電池から前記ガス燃焼装置へ電力が供給されない状態では、ガスの点火および燃焼を禁止する状態となり、
前記個人認証装置は、前記ガスコンロを操作する操作者が、予め登録された操作許可者であるか否かを認証し、
前記通電切換装置は、前記個人認証装置での認証結果に基づき、前記乾電池から前記ガス燃焼装置への電力の供給について、前記乾電池から前記ガス燃焼装置へ電力を供給する供給状態と、前記乾電池から前記ガス燃焼装置へ電力を供給しない非供給状態との間で切り換わる装置であって、
前記個人認証装置が前記操作者を操作許可者であると認証した際に、前記非供給状態から前記供給状態へ切り換わる、点にある。
【００２２】
上記の特徴構成によれば、乾電池式のガスコンロにセキュリティユニットが後付けされて、予め登録された操作許可者以外による誤点火を防止することができる。
【図面の簡単な説明】
【００２３】
【図１】ガスコンロの斜視図
【図２】ガスコンロシステムの概略図
【図３】乾電池と通電切換装置との収納状態を示す平面図
【図４】乾電池と通電切換装置との収納状態を示す一部切欠正面図
【図５】通電切換装置の構成を示す概略図
【図６】ガスコンロシステムの動作の説明図
【図７】ガスコンロシステムの概略図
【図８】ガスコンロシステムの動作の説明図
【図９】ガスコンロシステムの概略図
【図１０】ガスコンロシステムの概略図
【発明を実施するための形態】
【００２４】
＜第１実施形態：顔認証方式＞
以下、本実施形態に係るガスコンロシステムについて図面を参照しながら説明する。本実施形態に係るガスコンロシステムＹは、乾電池Ｅと、ガス燃焼装置Ａと、個人認証装置Ｂと、通電切換装置Ｕとを有して構成される。ガス燃焼装置Ａ、乾電池Ｅおよび通電切換装置Ｕは、ガスコンロＣの内部に配置される。
【００２５】
（ガスコンロの全体構成）
図１に示すように、ガスコンロＣが、ガスコンロ本体Ｈの上面部に、燃焼部としての３つのコンロバーナ１を備え、ガスコンロ本体Ｈの内部に、ガスグリルＧを装備したグリル付コンロに構成されている。
【００２６】
３つのコンロバーナ１は、標準バーナ１ａ、小バーナ１ｂ、及び、高火力バーナ１ｃであり、ガスコンロ本体Ｈの上面を覆うトッププレート２の上部には、鍋等を受け止め支持するための五徳３が３つのコンロバーナ１の夫々に対応して載置支持されている。
【００２７】
また、３つのコンロバーナ１の夫々に対応して、点火用の点火器Ｋが設けられている。
【００２８】
ガスグリルＧの燃焼排ガスを排気するためのグリル排気口４が、トッププレート２の後方側箇所に形成されている。
【００２９】
尚、図示は省略するが、ガスグリルＧには、グリルバーナが装備され、そのグリルバーナに対応して、コンロバーナ１と同様に、点火用の点火器Ｋが設けられることになる。
【００３０】
なおコンロバーナ１およびグリルバーナには、ガス供給管２１を通じてガスが供給される。ガス供給管２１には、安全弁２２が設けられる。
【００３１】
ガスコンロ本体Ｈの前面の右側上部には、３つのコンロバーナ１の夫々に対応させて３つコンロ用操作具５が設けられ、また、ガスコンロ本体Ｈの前面の右側下部には、３つのコンロバーナ１に対応させて、開閉式のコンロ用設定部ＳＣが設けられている。
【００３２】
そして、コンロ用操作具５の押し操作によって、コンロバーナ１に対する点火及び消火を行い、コンロ用操作具５の回転操作によって、コンロバーナ１の火力調節操作を行うように構成されている。
【００３３】
また、コンロ用設定部ＳＣによって湯沸し運転等の自動調理運転の設定を行うように構成されている。
【００３４】
ガスコンロ本体Ｈの前面の左側下部には、グリルバーナに対応させて、開閉式のガスグリル用操作部ＳＧが設けられている。
【００３５】
そして、ガスグリル用操作部ＳＧによって、グリルバーナに対する点火や消火の操作及び火力調節操作を行い、加えて、魚焼き等の自動調理運転の設定を行うように構成されている。
【００３６】
ガスコンロ本体Ｈの前面の左側上部には、電池収納空間Ｗ（図３参照）を開閉する電池点検用の開閉扉６が設けられ、開閉扉６の開き状態において、乾電池収納部としての電池収納枠７（図２参照）を出退操作することができるように構成され、電池収納枠７には、一対の乾電池Ｅが直列に並ぶ状態で収納されている。
【００３７】
つまり、一対の乾電池Ｅが、一方側の乾電池Ｅのプラス側電極Ｅｐを他方側の乾電池Ｅのマイナス側電極Ｅｎに直接的に接続させる直列に並ぶ状態で収納され、この収納状態は、一対の乾電池Ｅが、電気的に直列に接続される状態である。
【００３８】
尚、図３は、電池収納枠７を電池収納空間Ｗから突出させた状態を示す。
【００３９】
図２に示すように、コンロバーナ１やグリルバーナの作動を制御する制御部Ｍや点火器Ｋに対して、電池収納枠７に直列に並ぶ状態で収納した一対の乾電池Ｅの電力が供給されるように構成されている。
【００４０】
詳しくは、制御部Ｍが、電池収納枠７に収納された一対の乾電池Ｅを電源として作動するように構成され、また、制御部Ｍが、一対の乾電池Ｅを電源として点火器Ｋを作動させるように構成されている。つまり点火器Ｋおよび制御部Ｍは乾電池Ｅを電源として動作し、乾電池Ｅから電力が供給されない状態ではガスの点火が禁止される。
【００４１】
尚、乾電池Ｅの電力を安定させる電圧レギュレータ等を備えた電源回路が構成されることになるが、本実施形態においては、電源回路についての詳細な説明を省略する。
【００４２】
ちなみに、制御部Ｍが、コンロバーナ１やグリルバーナを燃焼作動させる際には、点火器Ｋの制御に加えて、ガス供給路を開閉する電磁開閉弁の開閉制御やガス燃料の供給量を調節する燃料供給量調節弁の開度制御等を行うことになるが、その詳細は周知であるので、本実施形態においては詳細な説明を省略する。
【００４３】
なおコンロバーナ１およびグリルバーナには、ガス供給管２１を通じてガスが供給される。ガス供給管２１には、安全弁２２が設けられる。安全弁２２は、一対の乾電池Ｅを電源として動作し、乾電池Ｅから電力が供給されない状態では、コンロバーナ１およびグリルバーナへのガスの供給を停止する。
【００４４】
本実施形態のガス燃焼装置Ａは、コンロバーナ１（およびグリルバーナ）、ガス供給管２１、安全弁２２、点火器Ｋおよび制御部Ｍを有して構成される。すなわちガス燃焼装置Ａは、乾電池Ｅから電力の供給を受けてガスを燃焼させる装置である。ガス燃焼装置Ａは、乾電池Ｅから電力が供給される状態では、ガスの点火および燃焼を許容する状態となり、乾電池Ｅから電力が供給されない状態では、ガスの点火および燃焼を禁止する状態となる。
（個人認証装置、顔認証装置）
個人認証装置Ｂは、ガスコンロシステムＹを操作する操作者Ｘが、予め登録された操作許可者であるか否かを認証する。本実施形態では、個人認証装置Ｂは顔認証装置３１であって、ガスコンロＣの上方に配置される。顔認証装置３１は、ガスコンロシステムＹを操作する操作者Ｘを撮影して、顔認証により、予め登録された操作許可者であるか否かを認証する。顔認証装置３１は、操作許可者の顔画像を記憶する記憶部を有して構成される。
【００４５】
顔認証装置３１による操作者Ｘの認証は、以下の様に行われる。予め、ガスコンロＣの操作を許可する人物（操作許可者）について、顔の画像を顔認証装置３１に記憶させ、操作許可者として登録しておく。登録は、顔認証装置３１によって操作許可者を撮影して行ってもよいし、別の装置、例えば携帯情報端末（スマートフォン）等にて操作許可者を撮影して行ってもよい。ガスコンロＣの使用の際、顔認証装置３１はガスコンロＣの前に立つ操作者Ｘを撮影する。撮影は、操作者ＸがガスコンロＣに立ったことを検知して行ってもよいし、操作者Ｘの存在／不存在にかかわらず所定の時間間隔で連続的に撮影してもよい。顔認証装置３１は、撮影された画像を解析して写っている人物の顔画像を抜き出し、記憶されている操作許可者の顔画像と照合する。顔認証装置３１は、これらの顔画像が一致した場合、ガスコンロＣの前の操作者Ｘが予め登録された操作許可者であると認証する。認証結果は、通電切換装置Ｕへ無線通信により送信される。
【００４６】
以下、操作者Ｘが予め登録された操作許可者であると認証される状態を「認証ＯＫ」とと略記し、認証されない状態を「認証ＮＧ」と略記する。例えば、顔認証装置３１によって撮影された画像に操作者Ｘが写っていても、下あるいは横を向いているために顔画像が取得できない場合、認証ＮＧとなる。撮影された画像に、操作許可者と、操作許可者でない人物が写っていた場合、操作許可者の顔が認証されることで認証ＯＫとなる。
【００４７】
（電池収納枠の詳細）
図２〜図４に示すように、本実施形態においては、上述の如く、電池収納枠７に、一対の乾電池Ｅが直列に並ぶ状態で収納されている。電池収納枠７には、プラス側接続端子Ｓｐと、マイナス側接続端子Ｓｎとが設けられている。プラス側接続端子Ｓｐは、直列で並ぶ状態の一対の乾電池Ｅにおける最もプラス側の乾電池Ｅのプラス側電極Ｅｐと接触させるための端子である。マイナス側接続端子Ｓｎは、直列で並ぶ状態の一対の乾電池Ｅにおける最もマイナス側の乾電池Ｅのマイナス側電極Ｅｎと接触させるための端子である。
【００４８】
電池収納枠７のマイナス側接続端子Ｓｎは、一対の乾電池Ｅの並び方向に弾性変形自在で、かつ、プラス側接続端子Ｓｐに向けて突出するように付勢される形態に構成されている。本実施形態においては、マイナス側接続端子Ｓｎが、渦巻き状のスプリングにて構成される場合を例示するが、板バネを用いてマイナス側接続端子Ｓｎを構成するようにしてもよい。
【００４９】
このように、マイナス側接続端子Ｓｎが、一対の乾電池Ｅの並び方向に弾性変形自在であるため、電池収納枠７に対する乾電池Ｅの着脱を容易に行える。また、マイナス側接続端子Ｓｎが、プラス側接続端子Ｓｐに向けて突出するように付勢されているから、乾電池Ｅのプラス側電極Ｅｐとプラス側接続端子Ｓｐとの接触状態、及び、乾電池Ｅのマイナス側電極Ｅｎとマイナス側接続端子Ｓｎとの接触状態を適切に維持できることになる。
【００５０】
（通電切換装置について）
通電切換装置Ｕは、個人認証装置Ｂでの認証結果に基づき、乾電池Ｅからガス燃焼装置Ａへの電力の供給について、乾電池Ｅからガス燃焼装置Ａへ電力を供給する供給状態と、乾電池Ｅからガス燃焼装置Ａへ電力を供給しない非供給状態との間で切り換わる装置である。
【００５１】
通電切換装置Ｕは、図２および図５に示されるように、無線通信部８、スイッチング部９、切換制御部１０、昇圧部Ｄ、ケーシング１１、マイナス側電線Ｌｎ、切換電線Ｌｍ、プラス側電線Ｌｐ、マイナス側端子Ｕｎ、切換端子Ｕｍ、およびプラス側端子Ｕｐを有して構成される。無線通信部８、スイッチング部９、切換制御部１０、および昇圧部Ｄは、ケーシング１１の内部に収容される。
【００５２】
無線通信部８は、無線通信により顔認証装置３１と接続される。無線通信部８は、顔認証装置３１から認証結果を受け取り、切換制御部１０へ送信する。切換制御部１０は、顔認証装置３１での認証結果に基づいて、スイッチング部９の動作を制御する。無線通信部８および切換制御部１０には、昇圧部Ｄにて昇圧された乾電池Ｅからの電力が供給される。
【００５３】
スイッチング部９は、マイナス側電線Ｌｎを介してマイナス側端子Ｕｎと接続され、切換電線Ｌｍを介して切換端子Ｕｍと接続されている。スイッチング部９は、切換制御部１０に制御されて、マイナス側電線Ｌｎと切換電線Ｌｍとの間の導通／非導通を切り換える。ここでマイナス側端子Ｕｎと切換端子Ｕｍとの間は、絶縁製の部材により絶縁されている。よってスイッチング部９により、マイナス側端子Ｕｎと切換端子Ｕｍとの間の導通／非導通が切り換えられる。
【００５４】
本実施形態では通電切換装置Ｕは、図３に示されるように、１つの乾電池Ｅを挟む形態で、電池収納空間Ｗ（電池収納部）に収容される。なお電池収納空間Ｗは、乾電池Ｅおよび電池収納枠７を収納する空間である。プラス側端子Ｕｐは、右側の乾電池Ｅのマイナス側電極Ｅｎと左側の乾電池Ｅのプラス側電極Ｅｐとの間に配置される。マイナス側端子Ｕｎおよび切換端子Ｕｍは、左側の乾電池Ｅのマイナス側電極Ｅｎとマイナス側接続端子Ｓｎとの間に配置される。マイナス側端子Ｕｎは、左側の乾電池Ｅのマイナス側電極Ｅｎに接触する。切換端子Ｕｍは、マイナス側接続端子Ｓｎと接触する。以上の構成により、左側の乾電池Ｅの電力は、プラス側端子Ｕｐとマイナス側端子Ｕｎとを介して常に通電切換装置Ｕに供給される。一方、乾電池Ｅからガス燃焼装置Ａへの電力供給は、マイナス側端子Ｕｎと切換端子Ｕｍとの間の導通／非導通の切換により、乾電池Ｅからガス燃焼装置Ａへ電力を供給する供給状態と、電力を供給しない非供給状態との間で切り換わる。
【００５５】
棒状のケーシング１１は、図４に示すように、断面形状が３角状に形成され、電池収納枠７に収納されている乾電池Ｅの上方露出部分の側部に、密着させた形態で、乾電池Ｅと並ぶ状態に設けられている。
（通電切換装置の動作）
本実施形態に係る通電切換装置Ｕは、顔認証装置３１（個人認証装置Ｂ）が操作者Ｘを操作許可者であると認証した際に、非供給状態から供給状態へ切り換わる。また通電切換装置Ｕは、所定時間の間、顔認証装置３１が操作者Ｘを操作許可者として認証しない状態が継続した際に、供給状態から非供給状態へ切り換わる。そして顔認証装置３１は、所定時間の間、操作者Ｘを操作許可者として認証しない状態が継続した際に、操作者Ｘに対して操作許可者の認証を要求する認証要求を発する。認証要求は、操作者に対して認証を要求する旨を通知する動作であって、音、音声、光、文字表示など様々な態様が可能である。例えば「ガスコンロの前に戻って顔認証してください」との音声を発するよう、顔認証装置３１を構成してもよい。
【００５６】
図６は、本実施形態に係る顔認証装置３１および通電切換装置Ｕの動作の一例を示している。動作を開始してから時刻ｔ１までの間、操作者ＸはガスコンロＣの前におらず、認証ＮＧであり、通電切換装置Ｕは非供給状態である。時刻ｔ１で操作者ＸがガスコンロＣの前に立ち、認証ＯＫとなると、通電切換装置Ｕが供給状態となり、コンロバーナ１への点火が可能となる。時刻ｔ２で操作者Ｘが横を向いて（あるいは流し台の方へ移動して）認証ＮＧとなっても、直ぐには通電切換装置Ｕは非供給状態に切り換わらず、所定時間の間（例えば１５分）供給状態にて待機する。時刻ｔ３で操作者Ｘが元の状態に戻り、認証ＯＫとなると、通電切換装置Ｕはそのまま供給状態を維持する。
【００５７】
時刻ｔ４に操作者ＸがガスコンロＣから離れたとする。そのまま時刻ｔ５となり、認証ＮＧの状態が所定時間（例えば８分）が継続すると、顔認証装置３１が認証要求を発する。それから７分以内の時刻ｔ６に操作者Ｘが戻って認証ＯＫとなると、通電切換装置Ｕはそのまま供給状態を維持する。
【００５８】
時刻ｔ７に操作者Ｘが再びガスコンロＣから離れ、所定時間（例えば８分）が経過して時刻ｔ８に至ると、顔認証装置３１が認証要求を発する。そこから所定時間（例えば７分）が経過して時刻ｔ９となっても認証ＯＫとならない場合、通電切換装置Ｕは非供給状態へ切り換わる。コンロバーナ１でガスが燃焼している場合、消火する。
＜第２実施形態：セキュリティユニット＞
以下の実施形態の説明では、第１実施形態と同様の構成については同じ符号を付し、説明を省略する場合がある。
【００５９】
上述の実施形態では、ガスコンロシステムＹが顔認証装置３１（個人認証装置Ｂ）および通電切換装置Ｕを有して構成される。顔認証装置３１（個人認証装置Ｂ）および通電切換装置Ｕは、乾電池式のガスコンロ完成品に対して後付けで取り付けることも可能である。つまり、セキュリティユニットＺを顔認証装置３１（個人認証装置Ｂ）および通電切換装置Ｕを含んで構成する。このセキュリティユニットＺは、乾電池Ｅとガス燃焼装置Ａとを有するガスコンロＣに対して適用される。
＜第３実施形態：指紋認証方式＞
上述の実施形態では、個人認証装置Ｂとして顔認証装置３１が用いられた。本実施形態では、個人認証装置Ｂは指紋認証装置３２であって、図７に示されるように、ガスコンロＣの上面に配置される。指紋認証装置３２は、ガスコンロシステムＹを操作する操作者Ｘからの指紋の入力を受け付けて、指紋認証により、予め登録された操作許可者であるか否かを認証する。指紋認証装置３２は、操作許可者の指紋を記憶する記憶部を有して構成される。
【００６０】
指紋認証装置３２による操作者Ｘの認証は、以下の様に行われる。予め、ガスコンロＣの操作を許可する人物（操作許可者）について、指紋を指紋認証装置３２に記憶させ、操作許可者として登録しておく。登録は、操作許可者が指紋認証装置３２に指紋を読み取らせて行ってもよいし、別の装置、例えば携帯情報端末（スマートフォン）等にて行ってもよい。ガスコンロＣの使用の際、操作者Ｘは指紋認証装置３２に自分の指紋を読み取らせる。指紋認証装置３２は、入力された指紋と、記憶されている操作許可者の指紋とを照合する。指紋認証装置３２は、これらの指紋が一致した場合、ガスコンロＣの前の操作者Ｘが予め登録された操作許可者であると認証する。認証結果は、通電切換装置Ｕへ無線通信により送信される。
（通電切換装置の動作）
本実施形態に係る通電切換装置Ｕは、指紋認証装置３２（個人認証装置Ｂ）が操作者Ｘを操作許可者であると認証した際に、非供給状態から供給状態へ切り換わる。また通電切換装置Ｕは、所定時間の間、指紋認証装置３２が操作者Ｘを操作許可者として認証しない状態が継続した際に、供給状態から非供給状態へ切り換わる。そして指紋認証装置３２は、所定時間の間、操作者Ｘを操作許可者として認証しない状態が継続した際に、操作者Ｘに対して操作許可者の認証を要求する認証要求を発する。認証要求は、操作者に対して認証を要求する旨を通知する動作であって、音、音声、光、文字表示など様々な態様が可能である。例えば「ガスコンロの前に戻って指紋認証してください」との音声を発するよう、指紋認証装置３２を構成してもよい。
【００６１】
図８は、本実施形態に係る指紋認証装置３２および通電切換装置Ｕの動作の一例を示している。動作を開始してから時刻ｔ１までの間、操作者Ｘから指紋認証装置３２への指紋の入力はなく、認証ＮＧであり、通電切換装置Ｕは非供給状態である。時刻ｔ１で操作者Ｘが指紋認証装置３２へ指紋を読み取らせて、認証ＯＫとなると、通電切換装置Ｕが供給状態となり、コンロバーナ１への点火が可能となる。
【００６２】
認証ＮＧの状態が所定時間（例えば１５分）が継続すると（時刻ｔ２）、指紋認証装置３２が認証要求を発する。直ぐに操作者Ｘが指紋認証装置３２へ指紋を読み取らせて認証ＯＫとなると（時刻ｔ３）、通電切換装置Ｕはそのまま供給状態を維持する。
【００６３】
時刻ｔ３から認証ＮＧの状態が所定時間（例えば１５分）継続すると（時刻ｔ４）、指紋認証装置３２が再び認証要求を発する。操作者Ｘが指紋認証を行わないまま所定時間（例えば２分）が経過すると（時刻ｔ５）、通電切換装置Ｕは非供給状態へ切り換わる。コンロバーナ１でガスが燃焼している場合、消火する。
＜第４実施形態：無線キー認証方式＞
本実施形態では、図９に示すように、個人認証装置Ｂは、無線認証部３３と無線キー３４とを有して構成される。個人認証装置Ｂは、無線キー３４と無線認証部３３とが通信可能な認証領域３３ａに位置する場合に、ガスコンロシステムを操作する操作者が予め登録された操作許可者であると認証する。
【００６４】
具体的には、無線キー３４は所定の時間間隔（例えば２秒）にて電波で認証信号を発する装置である。無線キー３４が発する認証信号は、無線キー３４の個体毎に異なっている。無線認証部３３は、無線キー３４の発する電波を受信する装置であって、通電切換装置Ｕのケーシング１１の内部に配置され、切換制御部１０に接続される。無線認証部３３は、対となる無線キー３４の認証信号を記憶する記憶部を有している。
【００６５】
無線認証部３３は、無線キー３４からの認証信号を受信すると、受信した認証信号と、記憶部に記憶された認証信号とを照合する。そして両者が一致した場合に、認証ＯＫとなる。つまり、予め登録された対となる無線キー３４からの認証信号を無線認証部３３が受信した場合に、認証ＯＫとなる。
【００６６】
ここで無線キー３４の発する電波の到達距離は限られており、例えば１ｍ程度である。操作者Ｘが無線キー３４を持った状態でガスコンロＣの前に立つと、無線キー３４と無線認証部３３とが通信可能な認証領域３３ａに位置することになる（すなわち認証領域３３ａは、無線キー３４からの電波が到達可能な領域である。）。そして無線認証部３３が、無線キー３４が発した認証信号を受信・照合して、操作者Ｘが持つ無線キー３４が、予め登録された対となる無線キーであると確認されると、認証ＯＫとなる。そうすると無線認証部３３が、認証結果を切換制御部１０へ送信し、通電切換装置Ｕが、乾電池Ｅからガス燃焼装置Ａへ電力を供給する供給状態へ切り換わる。
【００６７】
無線キー３４を持つ操作者ＸがガスコンロＣの前から離れて、無線認証部３３が無線キー３４からの電波を受信しなくなると、認証ＮＧの状態となる。認証ＮＧの状態が所定時間（例えば１分）継続すると、無線認証部３３が認証要求を発する。認証要求から所定時間（例えば３０秒）経過しても認証ＯＫの状態にならない場合、通電切換装置Ｕが乾電池Ｅからガス燃焼装置Ａへ電力を供給しない非供給状態へ切り換わる。
＜第５実施形態：携帯情報端末による認証＞
本実施形態では、図１０に示すように、個人認証装置Ｂは、無線認証部３３と携帯情報端末３５とを有して構成される。個人認証装置Ｂは、無線認証部３３が携帯情報端末３５と通信して携帯情報端末３５が予め登録された端末であると確認された場合に、ガスコンロシステムＹを操作する操作者Ｘが予め登録された操作許可者であると認証する
具体的には携帯情報端末３５は、無線認証部３３と無線通信を行う装置である。本実施形態では、ブルートゥース方式により無線通信が行われる。無線認証部３３は、携帯情報端末３５と無線通信を行う装置であって、通電切換装置Ｕのケーシング１１の内部に配置され、切換制御部１０に接続される。
【００６８】
本実施形態に係る個人認証装置Ｂでの操作者Ｘの認証は、以下の様に行われる。予め、ガスコンロＣの操作を許可する人物（操作許可者）の携帯情報端末３５と、通電切換装置Ｕの無線認証部３３との間でペアリングの操作を行う。具体的には、携帯情報端末３５から周囲のブルートゥース機器を探索して、通電切換装置Ｕを指定して接続操作を行い、パスキーを入力する。以降、通電切換装置Ｕの無線認証部３３の通信範囲内に携帯情報端末３５が持ち込まれると、携帯情報端末３５と通電切換装置Ｕとの間で自動的に接続が確立される。携帯情報端末３５と通電切換装置Ｕとの間で接続が確立されると、認証ＯＫとなる。そうすると無線認証部３３が、認証結果を切換制御部１０へ送信し、通電切換装置Ｕが、乾電池Ｅからガス燃焼装置Ａへ電力を供給する供給状態へ切り換わる。
【００６９】
携帯情報端末３５を持つ操作者ＸがガスコンロＣの前から離れて、無線認証部３３が携帯情報端末３５からの電波を受信しなくなり、携帯情報端末３５と通電切換装置Ｕとの間の接続が切断されると、認証ＮＧの状態となる。認証ＮＧの状態が所定時間（例えば１分）継続すると、無線認証部３３が認証要求を発する。認証要求から所定時間（例えば３０秒）経過しても認証ＯＫの状態にならない場合、通電切換装置Ｕが乾電池Ｅからガス燃焼装置Ａへ電力を供給しない非供給状態へ切り換わる。
【００７０】
つまり本実施形態では、個人認証装置Ｂは、携帯情報端末３５と通電切換装置Ｕとの間で接続が確立された場合、すなわち無線認証部３３が携帯情報端末３５と通信して携帯情報端末３５が予め登録された端末であると確認された場合に、ガスコンロシステムＹを操作する操作者Ｘが予め登録された操作許可者であると認証する。
（他の実施形態）
（１）上述の実施形態では、操作者Ｘの認証の方式として、顔認証・指紋認証が用いられた。これらに換えて、あるいはこれらと併用して、他の生体認証を用いることも可能である。例えば、虹彩認証、静脈認証、声紋認証等を用いることも可能である。
（２）上述の実施形態では、操作者Ｘの認証の方式として、ブルートゥース通信の接続が用いられた。無線ＬＡＮ等の他の無線通信を用いることも可能である。
（３）上述の実施形態では、ブルートゥース通信の接続確立をもって操作者Ｘが操作許可者である旨が認証された。携帯情報端末３５が、端末上のアプリケーションにて操作者Ｘからの認証操作を受け付けて、その操作により認証が行われてもよい。例えば、アプリケーション上で適切なパスワードが入力されることにより、認証が行われてもよい。
【００７１】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７２】
１      ：コンロバーナ
１ａ    ：標準バーナ
１ｂ    ：小バーナ
１ｃ    ：高火力バーナ
２      ：トッププレート
３      ：五徳
４      ：グリル排気口
５      ：コンロ用操作具
６      ：開閉扉
７      ：電池収納枠
８      ：無線通信部
９      ：スイッチング部
１０    ：切換制御部
１１    ：ケーシング
２１    ：ガス供給管
２２    ：安全弁
３１    ：顔認証装置
３２    ：指紋認証装置
３３    ：無線認証部
３３ａ  ：認証領域
３４    ：無線キー
３５    ：携帯情報端末
Ａ      ：ガス燃焼装置
Ｂ      ：個人認証装置
Ｃ      ：ガスコンロ
Ｄ      ：昇圧部
Ｅ      ：乾電池
Ｅｎ    ：マイナス側電極
Ｅｐ    ：プラス側電極
Ｇ      ：ガスグリル
Ｈ      ：ガスコンロ本体
Ｋ      ：点火器
Ｌｍ    ：切換電線
Ｌｎ    ：マイナス側電線
Ｌｐ    ：プラス側電線
Ｍ      ：制御部
ＳＣ    ：コンロ用設定部
ＳＧ    ：ガスグリル用操作部
Ｓｎ    ：マイナス側接続端子
Ｓｐ    ：プラス側接続端子
Ｕ      ：通電切換装置
Ｕｍ    ：切換端子
Ｕｎ    ：マイナス側端子
Ｕｐ    ：プラス側端子
Ｗ      ：電池収納空間
Ｘ      ：操作者
Ｙ      ：ガスコンロシステム
Ｚ      ：セキュリティユニット
【図１】
2019035547.tif 000003
【図２】
2019035547.tif 000004
【図３】
2019035547.tif 000005
【図４】
2019035547.tif 000006
【図５】
2019035547.tif 000007
【図６】
2019035547.tif 000008
【図７】
2019035547.tif 000009
【図８】
2019035547.tif 000010
【図９】
2019035547.tif 000011
【図１０】
2019035547.tif 000012